(57)【要約】      （修正有）【課題】締付工具本体を電動ドライバに着脱自在に装着することができるとともに、締付工具本体を電動ドライバに固定するための固定部材を備えた電動ドライバ用締付工具を提供する。【解決手段】締付部１１と、該締付部１１に電動ドライバ３０の回転駆動力を伝達する駆動部１２と、を有する締付工具本体１０と、該締付工具本体１０の駆動部１２に電動ドライバのドリルビット部３１を挿入した状態で電動ドライバに締付工具本体１０を固定するための固定部材２０と、を備えるものである。【選択図】図２
2019042862.tif 000002
【特許請求の範囲】
【請求項１】
締付部と、電動ドライバの回転駆動力によって回転駆動する駆動部と、該駆動部の回転駆動を前記締付部に伝動する伝動機構と、を有する締付工具本体と、該締付工具本体の前記駆動部に電動ドライバのドリルビット部を挿入した状態で電動ドライバに前記締付工具本体を固定するための固定部材と、からなる電動ドライバ用締付工具であって、前記駆動部は、締付工具本体フレームの上方に突出するように形成された突出部と、該突出部には前記ドリルビット部と嵌合して回転駆動力を入力する入力部と、前記突出部の外周面上に形成された鍔部と、を有し、前記固定部材は、前記締付工具本体を差し込んで装着し得る装着部と、前記鍔部と前記締付工具本体フレームとの間の前記突出部に嵌合する差込部と、電動ドライバを受ける受け部と、を有することを特徴とする電動ドライバ用締付工具。
【請求項２】
差込部は、締付工具本体フレームと鍔部との突出部に嵌合した状態において、前記締付工具本体フレームと前記鍔部との間の隙間に比べて薄板状に形成されることを特徴とする請求項１記載の電動ドライバ用締付工具。
【請求項３】
締付部は、被締付部に嵌合し得る隅角を備えた貫通孔からなり、該隅角は、貫通孔の中心方向に突出して形成された抜け止め片を有することを特徴とする請求項１記載の電動ドライバ用締付工具。
【発明の詳細な説明】
【技術分野】
【０００１】
本発明は、建築物の建造などに使用される鋼製束やナットなどを締付ける電動ドライバ用締付工具に関する。
【背景技術】
【０００２】
従来の建築物の建造などに使用される鋼製束やナットは狭小空間に配置されているものが多く、鋼製束は建築物の床下の基礎回りに取付けるものであり、その被締付部は床下の狭小空間に配置されるため、その被締付部の締付作業は困難になるとともに、電動工具等の使用が制限されるため作業効率が低下するものであった。
【０００３】
そのため、電動ドライバに取付けることで狭小空間でも鋼製束やナットを締付けることが可能な種々の電動ドライバ用締付工具が提案されている。例えば、特許文献１に記載された発明である電動ドライバー用マルチアタッチメントは、電動ドライバ(Y)に装着するバンド(Z)と、該バンド(Z)を支持するアーム(Za)をハンドル兼フレーム本体(1)に固定する取付孔(1a)を有するものが開示されている。
【先行技術文献】
【特許文献】
【０００４】
【特許文献１】特開２００３−９４３５０号公報（特許第４７２９２１０号公報）
【発明の概要】
【発明が解決しようとする課題】
【０００５】
しかしながら、上記特許文献１に記載された発明は、ハンドル兼フレーム本体(1)の取付孔(1a)に支持するアーム(Za)を固定するものであり、その固定するために取付孔(1a)を形成する必要があるとともに、施工場所において固定した後、他の作業をする際に外さなければならないため、作業効率が低下する恐れがある。
【０００６】
したがって、本発明は、締付工具本体を電動ドライバに着脱自在に装着することができるとともに、締付工具本体を電動ドライバに固定するための固定部材を備えた電動ドライバ用締付工具を提供することを目的とするものである。
【課題を解決するための手段】
【０００７】
上記課題に鑑み、本発明は、締付部と、電動ドライバの回転駆動力によって回転駆動する駆動部と、該駆動部の回転駆動を前記締付部に伝動する伝動機構と、を有する締付工具本体と、該締付工具本体の前記駆動部に電動ドライバのドリルビット部を挿入した状態で電動ドライバに前記締付工具本体を固定するための固定部材と、からなる電動ドライバ用締付工具であって、前記駆動部は、締付工具本体フレームの上方に突出するように形成された突出部と、該突出部には前記ドリルビット部と嵌合して回転駆動力を入力する入力部と、前記突出部の外周面上に形成された鍔部と、を有し、前記固定部材は、前記締付工具本体を差し込んで装着し得る装着部と、前記鍔部と前記締付工具本体フレームとの間の前記突出部に嵌合する差込部と、電動ドライバを受ける受け部と、を有することを特徴とする。
【０００８】
また、上述した構成に加え、差込部は、締付工具本体フレームと鍔部との突出部に嵌合した状態において、前記締付工具本体フレームと前記鍔部との間の隙間に比べて薄板状に形成されることが好ましい。
【０００９】
また、上述した構成に加え、締付部は、被締付部に嵌合し得る隅角を備えた貫通孔からなり、該隅角は、貫通孔の中心方向に突出して形成された抜け止め片を有することが好ましい。
【発明の効果】
【００１０】
請求項１記載の発明によれば、締付工具本体を電動ドライバに着脱自在に装着することができるとともに、締付工具本体を電動ドライバに固定するための固定部材を備えた電動ドライバ用締付工具を提供することが可能である。
【００１１】
請求項２記載の発明によれば、電動ドライバのドリルビット部を挿入する位置に固定部材を位置決めすることができるとともに、締付工具本体の駆動部の回転動作と、締付工具本体フレーム及び鍔部となるべく接触しないようにすることで回転駆動力の入力を阻害しないようにすることが可能である。
【００１２】
請求項３記載の発明によれば、ナットなどの被締付部の抜けを防止することが可能である。
【図面の簡単な説明】
【００１３】
【図１】本発明の実施形態における電動ドライバ用締付工具の分解斜視図である。
【図２】図１における電動ドライバ用締付工具に電動ドライバを固定させる状態を示す斜視図であり、(a)電動ドライバを固定する前の状態、(b)電動ドライバを固定した後の状態、を示すものである。
【図３】図２(b)における固定状態の内部構造を示すA−A線断面図である。
【図４】図１における締付部周辺の形状を示す(a)平面図、(b)底面図、(c)B−B線断面図である。
【図５】図１の電動ドライバ用締付工具で狭小空間に配置されたナットの締付け作業を示す概念図である。
【発明を実施するための形態】
【００１４】
本発明の実施形態について図面に基づいて詳細に説明する。
【００１５】
(実施形態)
本発明に係る電動ドライバ用締付工具１は、図１に示すように、締付部１１と、該締付部１１に電動ドライバ３０の回転駆動力を伝達する駆動部１２と、を有する締付工具本体１０と、該締付工具本体１０の駆動部１２に電動ドライバ３０のドリルビット部３１を挿入した状態で電動ドライバ３０に締付工具本体１０を固定するための固定部材２０と、からなるものである。
【００１６】
締付工具本体１０は、鋼製束やナット等の被締付部と嵌合し得るソケット１１aからなる締付部１１と、外部から電動ドライバ３０のドリルビット部３１と嵌合して回転駆動する駆動部１２と、該駆動部１２に入力された回転駆動力を伝動する伝動機構と、を備えてなるものであり、この締付部１１は、クローズドエンド型のソケット１１ａと、このソケット１１ａの外周部に伝動機構の歯合する歯部１１ｃ、１１ｃと、を有しているものである。ソケット１１ａは、ナットなどの被締付部と嵌合し得る隅角を備えた２つの六角穴の隅角をずらしながら重ね合わせてなる一つの貫通孔（言い換えれば、１２コの隅角を備えた星型形状の貫通孔）からなり、この一方の六角穴の隅角には、ナットなどの被締付部の抜けを防止するための中心方向に突出して形成された抜け止め片１１ｂ、１１ｂを有するものである（図１及び図４参照）。なお、本実施形態においては、ソケット１１ａの形状は、狭小空間に配置されたナットを締付けるのに好適であるクローズドエンド型のソケット１１ａを例示しているが、先端が開口されたオープンエンド型の形状にしてもよい。また、この伝動機構は、少なくとも一つ以上の伝動歯車を有することが好ましく、この伝動歯車は締付部１１の歯部１１ｃ、１１ｃ及び駆動部１２の歯部１２ａ、１２ａと歯合するものである（図示しない）。
【００１７】
駆動部１２は、締付工具本体フレーム１０ａの上方に突出するように形成された円筒体の突出部１３を有し、この突出部１３には、電動ドライバ３０のドリルビット部３１と嵌合する貫通孔からなる入力部１４が形成されている。また、突出部１３は、円筒体の外周面上に締付工具本体フレーム１０ａとの隙間Ｓ１を有するように略円形平板状に一体的に形成された鍔部１５を有することが好ましく、この鍔部１５と締付工具本体フレーム１０ａとの間に、後述する固定部材２０における略Ｕ字状の差込部２３を嵌合させことができる（図１から図３参照）。
【００１８】
固定部材２０は、締付工具本体１０を差し込んで装着し得る装着部２１と、締付工具本体１０の鍔部１５と締付工具本体フレーム１０ａとの間の突出部１３に嵌合する差込部２３と、電動ドライバ本体部３２を受ける受け部２５と、を備えるものである。この装着部２１は、締付工具本体１０の柄部１６側から挿入し得る開口部を備えるとともに、概ね締付工具本体フレーム１０ａの幅方向全体を覆うように箱状に形成されたものであり、その底面には、電動ドライバ３０のドリルビット部３１を嵌合させた状態において、ドリルビット部３１の先端付近を下方から入力部１４に押し込めるようにするための切欠部２２を有することが好ましい（図２(b)、図５参照）。
【００１９】
差込部２３は、箱状に形成された装着部２１の上面端部から前方（差込部２３の差し込み方向）に突出するよう略Ｕ字の薄板形状で一体的に形成されている。この差込部２３の厚みは上述した鍔部１５と締付工具本体フレーム１０ａとの隙間Ｓ１よりも薄くさせることで、鍔部１５及び締付工具本体フレーム１０ａに対しては遊嵌合させることが好ましい（図２(b)、図３参照）。
【００２０】
受け部２５は、装着部２１上面（或いは、差込部２３上面）から略垂直方向に立設された立設部２４の上端から装着部２１上面と略平行となるように略逆Ｕ字状に形成されることで、略Ｕ字状の差込部２３の反対側を押えるような構造となるため、電動ドライバ３０を固定することが可能となる（図２(a)、図５参照）。さらに、この受け部２５は、種々の電動ドライバ３０の電動ドライバ本体部３２周辺の形状に適合するように形成するとともに、ドリルビット部３１を固定するチャック部３３と電動ドライバ本体部３２との間の隙間Ｓ２に係合するように薄板状に形成することで、ドリルビット部３１の長手方向（上下方向）に対して電動ドライバを固定部材２０にしっかりと固定することが可能である(図５参照)。
【００２１】
したがって、上述した構成による電動ドライバ用締付工具１は、締付工具本体１０を電動ドライバ３０にネジ等の固定具を必要とせずに着脱自在に装着することができるとともに、ドリルビット部３１を下方から締付工具本体１０の入力部１４に挿し込んだ後に電動ドライバ３０のチャック部３３に固定することで、電動ドライバ３０と締付工具本体１０とをしっかりと固定することができ、また、狭小空間に配置された被締付部を締付けすることができる締付工具本体１０を電動ドライバ３０に固定するための固定部材２０を備えた電動ドライバ用締付工具１を提供することが可能である。
【００２２】
また、固定部材２０の差込部２３は、電動ドライバ３０のドリルビット部３１を挿入する位置に位置決めするとともに、締付工具本体１０の駆動部１２の回転動作と、鍔部１５及び締付工具本体フレーム１０ａと、になるべく接触しないようにすることで回転駆動力の入力を阻害しないようにすることが可能である。
【符号の説明】
【００２３】
１…電動ドライバ用締付工具、10…締付工具本体、10a…締付工具本体フレーム、11…締付部、11a…ソケット、11b…抜け止め片、11c…歯部、12…駆動部、12ａ…歯部、13…突出部、14…入力部、15…鍔部、16…柄部、S1…隙間、
20…固定部材、21…装着部、22…切欠部、23…差込部、24…立設部、25…受け部、
30…電動ドライバ、31…ドリルビット部、32…電動ドライバ本体部、33…チャック部、S2…隙間
【図１】
2019042862.tif 000003
【図２】
2019042862.tif 000004
【図３】
2019042862.tif 000005
【図４】
2019042862.tif 000006
【図５】
2019042862.tif 000007